(57)【要約】【課題】従来のシャワーヘッドの音、水圧といった犬などのペットが嫌がり暴れる原因となりうる問題点を解消し、かつ飼い主が容易に洗えるペット用シャワーヘッドを提供する。【解決手段】吐水ホース２と連通連結されたシャワーヘッド本体１はブラシ５が組み込まれ、ブラシ５を囲むように環状もしくはＵ字型の形状を持つ内部水流路６が配置される。内部水流路６の内側に沿って配置された吐水口７は吐水ホース２の断面積よりも広い面積を持ち、かつブラシ歯５ｂとほぼ直交する方向に開口する。以上の構成により、従来のシャワーの音、水圧といった問題点は解消されペットが暴れない事と片手で行える事で飼い主のシャワー作業における負担を減らす。【選択図】    図１
2006238764.tif 000002
【特許請求の範囲】
【請求項１】
吐水ホース（２）に基端部（４）を連通連結して吐水可能に構成したシャワーヘッド本体（１）において、同シャワーヘッド本体（１）内部に前記吐水ホース（２）と連通したＵ字型もしくは環状の形状をした内部水流路（６）と同内部水流路（６）の中央にシャワーヘッド本体（１）外部に突出するブラシ歯（５ｂ）を持つブラシ（５）が配置され構成された事を特徴とするペット用シャワーヘッド。
【請求項２】
前記内部水流路（６）は、ブラシ（５）を囲むように吐水口（７）、を有しており前記ブラシ歯（５ｂ）とほぼ直交する方向に開口し、ブラシ（５）中央方向に向かい水を噴出する事を特徴とする請求項１記載のペット用シャワーヘッド。
【発明の詳細な説明】
【技術分野】
【０００１】
本発明は、吐水ホースに連通連結し、ペットの洗浄において用いるシャワーヘッドに関する。
【背景技術】
【０００２】
例えば犬などのペットをシャワーで洗う際にペットがシャワーを嫌がり暴れるという問題がある。この目的を持つシャワーヘッドの提案はされていない。
【０００３】
しかし、特に犬などのペットを洗う専用のシャワーヘッドという器具が全く提案されなかった訳ではないが、抜け毛の問題の解決を目的としており、シャワー時の水圧、噴出角度は、従来のシャワーヘッドと同等であり、ペットが嫌がり暴れない提案等はされていない。
【特許文献１】実開平６−２３４４０号
【発明の開示】
【発明が解決しようとする課題】
【０００４】
従来のシャワーヘッドは、犬などのペットにとり、恐怖感を感じる２つの問題点を有しこの点が嫌がり暴れる原因となっていた。
犬などのペットが感じる第一の問題点は、シャワー音から感じる恐怖感である。第２の問題点は、水圧から感じる恐怖感である。
【０００５】
また、洗う側である飼い主にとっては、通常のシャワーヘッドを使った際、手の役割は、手ぐしによるすすぎを行う、シャワーヘッドを持ちシャワーをかける、ペットを押さえるという３つの作業を同時に行う事となり、当然両手では全てを行う事が難しい。
【０００６】
本発明は、従来のシャワーヘッドの音・水圧といったペットが嫌がる問題点を克服し、かつ飼い主が容易に洗えるペット用シャワーヘッドを提供する事を目的とする。
【課題を解決するための手段】
【０００７】
上記目的を達成するために、吐水ホースに連通連結し使用する本発明品であるペット用シャワーヘッドは、次の二つの手段を用いた。第一にシャワーヘッド本体外殻にブラシの大きさに係合する穴を設け、シャワーヘッド本体内に配置されたブラシのブラシ歯がシャワーヘッド本体から突出する構造とした。
【０００８】
第二に、シャワーヘッド本体内部のブラシ土台部とシャワーヘッド本体外殻の間に一定の幅を持ち空間的に接合された吐水口となる隙間を設け、ブラシ歯とほぼ直交する方向に向け開口する吐水口は、ブラシ外周方向からブラシ中央方向に向かう水の流れを作り出し、ブラシ全体を包み込むように水が流れる構造とした。
【発明の効果】
【０００９】
本発明は、以上説明したように構成されているので以下に記載されるような効果を奏する。
【００１０】
従来のシャワーヘッドでは、ペットの皮膚面に対しほぼ直角方向から細孔の複数の吐水孔より高圧で噴射が行われ使用される為、当然ペットは痛く感じ高い水圧を皮膚面で体感する事となったのに対し、本発明のペット用シャワーヘッドは、ブラシ外周方向からブラシ中央方向に向かって水が吐出される為、ペット皮膚面から見て横もしくは斜め方向の水の噴射となる。この事からペットは、水の圧力をほとんど感じなく、ペットの水圧による恐怖心という問題は解消される。
【００１１】
また従来のシャワーヘッドは、主に水を圧縮し複数の吐水口から広く拡散させる事を目的としている。この圧縮し複数に噴出させる過程が、シャワー音となりペットが怖がる一つの要因となっていた。本発明のシャワーヘッドは、吐水ホース断面面積より広い連続した線による吐水口から水の噴出が行われる為、ペットの嫌がるシャワー音を伴わない。この事から音による恐怖心という問題は解消される。
【００１２】
シャワーを嫌がるペットは、シャワーから逃げ回る動きをしながら暴れる事から、従来手の役割は、シャワーヘッドを持ちシャワーをかける、暴れる犬を押さえる、すすぎの為の手ぐしをするという３つの役割を全て行い当然両手で、3つの役割をこなす事は難しく、無理に行おうとすると、押さえる手が緩み、ペットが暴れ出し、シャワーヘッドからの距離が離れシャワーの大きな音や水圧にペットが驚き暴れるという、悪循環があった。本発明品であるペット用シャワーヘッドはブラシがシャワーヘッド本体にある事から手ぐしによるすすぎの必要性がなく、シャワーヘッドを持たない手はペットを押さえるだけの役割とすることが出来、洗う側の労力を大きく抑える効果を持つ。
【発明を実施するための最良の形態】
【００１３】
発明の実施の最良の形態を実施例にもとづき図面を参照して説明する。図1において吐水ホース２にシャワーヘッド本体１の基端部４を取り付け使用するシャワーヘッド本体１は、内部水流路６の中央にブラシ５が位置する。シャワーヘッド本体１内部においてブラシ５のブラシ土台部５ａとシャワーヘッド本体外殻１ａとの間に可能な限り連続した線である隙間を設け、吐水口７を形成する。
【００１４】
図２はシャワーヘッド本体１の使用時の実施例を表す図１におけるＡ−Ａ'断面図である。シャワーヘッド本体外殻１ａとブラシ５の外周には、ブラシ歯５ｂとほぼ直交する方向に向き開口した一定の隙間があり吐水口７を形成する。これにより吐水口７の水の噴出方向はブラシ５の中央方向への水流となり、ペット皮膚面８に対し横もしくは斜め方向からの水流となる。この事によりペット皮膚面８へ水圧による衝撃がかかりにくい。
【００１５】
図３は、シャワーヘッド本体１内部水流路６を表す図である。吐水口７へ水を送る内部水流路６は、ブラシ５を囲むように左右対称に配置される。
【図面の簡単な説明】
【００１６】
【図１】シャワーヘッド本体の斜視図である。
【図２】シャワーヘッド本体使用時の実施例を表す図１におけるＡ−Ａ'断面図である。
【図３】シャワーヘッド本体の内部水流路を表す図２におけるＢ―Ｂ'断面図である。
【符号の説明】
【００１７】
１    シャワーヘッド本体
１ａ  シャワーヘッド本体外殻
２    吐水ホース
４    基端部
５    ブラシ
５ａ  ブラシ土台部
５ｂ  ブラシ歯
６    内部水流路
７    吐水口
８    ペット皮膚面
【図１】
2006238764.tif 000003
【図２】
2006238764.tif 000004
【図３】
2006238764.tif 000005